(57)【要約】【課題】従来の屋上建造物における縦壁の防水構造は、スラブコンクリートの縦壁に直接アスファルトを貼り付けて防水を行っていたが、長期にわたって直射日光や雨等の影響を受けるとアスファルト表面にヒビ等が発生して、内部に水が浸透するという問題があった。【解決手段】本発明における屋上における縦壁の防水構造としては、複数の突起を有する軽量板をスラブコンクリート面に固定して得た空間部に一液タイプの疎水性のイソシアネート化合物が主成分である発泡剤を流し込み、空間部内において水に不溶性のポリ尿素ゲル（ウレタン樹脂）を生成させながら空間部全体を密封し、さらに地下室の縦壁においては、土壌止めの矢板に取り付けられた軽量板との間に設けられた空間部に上記発泡剤を流し込んで空間部全体を同様に密封し、外側からの水の侵入を防止する防水構造を開発したもので、新規な建築物縦壁防水工法及び建築物縦壁防水構造体を提供するものである。【選択図】図１
2004324083.tif 000002
【特許請求の範囲】
【請求項１】
建築物縦壁表面に、任意高さを有する軽量板を固定する第一工程と、前記軽量板と縦壁間の空間部に発泡剤を注入して密封する第二工程と、必要において前記軽量板表面を塗装する第三工程とからなるなることを特徴とする建築物縦壁防水工法。
【請求項２】
前記建築物縦壁表面は、乾燥後のみでなく非乾燥状態において軽量板をアンカー固定することを特徴とする請求項１記載の建築物縦壁防水工法。
【請求項３】
前記軽量板は、板面状に複数の突起を有し、縦壁との間に空間部を設けることを特徴とする請求項１〜請求項２記載の建築物縦壁防水工法。
【請求項４】
前記発泡剤は、水とは反応するが水に溶けない性質を有する薬液であることを特徴とする請求項１〜請求項４記載の建築物縦壁防水工法。
【請求項５】
建築物縦壁表面に設けられた軽量板と、該軽量板の小孔から前記建築物縦壁表面に打設固着せしめられたアンカーで固定された空間を、発泡剤により密封してなることを特徴とする建築物縦壁防水構造体。
【請求項６】
地下室設置予定地の周囲に鋼枠材を打設したあとに、鋼枠内を掘削した土壌面に矢板材を横方向に打ち付けて土壌止めをする地下室の縦壁防水工法において、
土壌掘削面に平行となるように矢板材をうち付けた後に該矢板材の内側に軽量板を固定する第一工程と、
土台からの鉄筋枠を中心にコンクリート壁材を打設する第二工程と、
次いで順次水と反応するが水には不溶性の薬液である発泡剤を前記矢板材と軽量板材との空間に充填して底部から発砲させながら上方に移動させ、前記発泡剤が注入口付近で確認される迄充填を行って発泡剤で密封することによって土壌からの浸水を防止する第三工程と、
からなること特徴とする建築物縦壁防水工法。
【請求項７】
地下室設置予定地の周囲に鋼枠材を打設したあとに、鋼枠内を掘削した土壌面に矢板材を横方向に打ち付けて土壌止めをする地下室の縦壁防水構造において、
土壌の掘削面に打ち付けられた矢板内面に固定された軽量板と、前記矢板と軽量板との空間を発泡剤により密封した密封部と、土台からの鉄筋枠を中心に打設したコンクリート壁材とからなることを特徴とする建築物縦壁防水構造体。
【請求項８】
前記軽量板は、軽量板片面に複数の突起を有することを特徴とする請求項６又は請求項７記載の建築物縦壁防水構造体。
【請求項９】
前記軽量板は、軽量板片面に複数の突起を有すると共に、該板体に設けられた小孔から矢板にアンカー固定して一体化された構造体であることを特徴とする請求項６又は請求項７記載の建築物縦壁防水構造体。
【発明の詳細な説明】
【０００１】
【発明の属する技術分野】
本発明は断熱性や防水性に優れた建築物縦壁防水工法やその応用物に関し、さらに詳しくは、非乾燥時の建築物縦壁であるスラブコンクリートに対して片面に複数の突起を有する軽量板を設置固定して得られた空間に発泡剤を流入してこれらの空間を密封したり、あるいは地下室構造においては、土壌止めの矢板に複数の突起を有する軽量板を設置固定して得られた空間に発泡剤を流入してこれらの空間を密封することによって防水効果を高めた新規な建築物縦壁防水工法及び建築物縦壁防水構造体を提供するものである。
【０００２】
【従来の技術分野】
屋上の外断熱防水構造としては、実公平４−２００９６号「屋上の外断熱防水構造」に、「水平スラブ上面に、合成樹脂発泡体からほぼ同じ厚みの板上に形成された断熱板を敷詰めて断熱材層を設けるとともに、非水性シーラントを用いて、断熱材層を構成する断熱材の各端面を突合わせて形成される目地隙間にこれを充填したり、又は目地隙間をこれで外被して、更にその上面の全体に防水層を積層させた屋上の外断熱防水構造」が開示されている。
【０００３】
また特公平６−２１５１０号公報「ビル屋上の断熱及び防水工法」には、「ビル屋上のスラブコンクリート面に外スラブコンクリート面側が隙間率が高く、その厚さ方向反対面側が隙間率が低い断熱材を敷設し、該断熱材面に対し、一方の防水シートの端部に第１段差部に係合可能で略相似形を有し、第１段差部よりも幅の短い第２段差部との重ね合わせ又は突きあわせ時の接合面を接着剤又は溶着材により接合すると共に第１段差部と第２段差部との間の幅長の相違によって生じる隙間部に接着剤又は溶着材を介在させるビル屋上の断熱及び防水工法」を開示している。
【０００４】
一方、都市での地下室建築の場合、周囲に人家が多いために掘削面積を少なく、また作業が早くできる工法として特開平１１−１５８８９１号「住宅用地下室の築造方法」は、地下室を築造すべき地盤に所用の範囲にわたり連壁を構築するための縦溝を所定の深さまで掘削する住宅用地下室の構造方法において、縦溝を掘削する前に先行穴としての小穴を複数個、所定間隔で所定の深さまで掘削し、次いで掘削連接部分を区画するためにロッキングパイプを任意の小穴部分に配設する」住宅用地下室の築造方法が開示されている。
【０００５】
さらに従来の工法では、地下室の基礎底盤の上に多量の鉄筋を配筋して型枠を組み付け、外壁厚が厚くなるように大量のコンクリートを打設して建物自体の強度を保つようにすると共に、コンクリート外壁面には雨や地下水の侵入を防止するために念入りな防水加工が施されているが、この工法の場合、多くの工程や大量の建築材料を要する等の問題があった。
【０００６】
【発明が解決しようとする課題】
上記の屋上スラブコンクリートは、いずれもがコンクリート表面を平らに設定した後は、十分に養生して乾燥を行い隙間が生じないようにしてから次の処理に取りかかるために養生時間を相当に必要としていた。
【０００７】
また屋上スラブコンクリートの縦壁を保護するために、アスファルトを縦壁面に或いは屋上平面に沿って接着させ、縦壁端面にはシール材を固着させてコンクリート面に水分が入らないようにしているが、アスファルト自体の劣化により防水効果が長期間続かないという課題があった。
【０００８】
さらに地下室等の縦壁を施工する場合に、土壌からの浸透水に対する防水効果に優れた構造物が求められたいたが、従来のコンクリート縦壁では結露等の発生を防ぎ得なかった。
【０００９】
【課題を解決するための手段】
本発明者は掛かる課題を解決するために鋭意研究したところ、コンクリ縦壁、あるいは土壌留め矢板に対して複数の突起を有する軽量板を取り付けることによって生じた空間に、水に反応する一液タイプの発泡剤を流してその空間全体が密封されることを見いだし、本発明の建築物縦壁防水工法及び建築物縦壁防水構造体を提供するものである。
【００１０】
すなわち本発明の第一は、建築物縦壁表面に、任意高さを有する軽量板を固定する第一工程と、前記軽量板と縦壁間の空間部に発泡剤を注入して密封する第二工程と、必要において前記軽量板表面を塗装する第三工程とからなるなることを特徴とする建築物縦壁防水工法である。
【００１１】
本発明の第二は、前記建築物縦壁表面は、乾燥後のみでなく非乾燥状態において軽量板をアンカー固定することを特徴とする請求項１記載の建築物縦壁防水工法である。
【００１２】
本発明の第三は、前記軽量板は、板面状に複数の突起を有し、縦壁との間に空間部を設けることを特徴とする請求項１〜請求項２記載の建築物縦壁防水工法である。
【００１３】
本発明の第四は、前記発泡剤は、水とは反応するが水に溶けない性質を有する薬液であることを特徴とする請求項１〜請求項４記載の建築物縦壁防水工法である。
【００１４】
本発明の第五は、建築物縦壁表面に設けられた軽量板と、該軽量板の小孔から前記建築物縦壁表面に打設固着せしめられたアンカーで固定された空間を、発泡剤により密封してなることを特徴とする建築物縦壁防水構造体である。
【００１５】
本発明の第六は、地下室設置予定地の周囲に鋼枠材を打設したあとに、鋼枠内を掘削した土壌面に矢板材を横方向に打ち付けて土壌止めをする地下室の縦壁防水工法において、
土壌掘削面に平行となるように矢板材をうち付けた後に該矢板材の内側に軽量板を固定する第一工程と、
土台からの鉄筋枠を中心にコンクリート壁材を打設する第二工程と、
次いで順次水と反応するが水には不溶性の薬液である発泡剤を前記矢板材と軽量板材との空間に充填して底部から発砲させながら上方に移動させ、前記発泡剤が注入口付近で確認される迄充填を行って発泡剤で密封することによって土壌からの浸水を防止する第三工程と、
からなること特徴とする建築物縦壁防水工法である。
【００１６】
本発明の第七は、地下室設置予定地の周囲に鋼枠材を打設したあとに、鋼枠内を掘削した土壌面に矢板材を横方向に打ち付けて土壌止めをする地下室の縦壁防水構造において、
土壌の掘削面に打ち付けられた矢板内面に固定された軽量板と、前記矢板と軽量板との空間を発泡剤により密封した密封部と、土台からの鉄筋枠を中心に打設したコンクリート壁材とからなることを特徴とする建築物縦壁防水構造体である。
【００１７】
本発明の第八は、前記軽量板は、軽量板片面に複数の突起を有することを特徴とする請求項６又は請求項７記載の建築物縦壁防水構造体である。
【００１８】
本発明の第九は、前記軽量板は、軽量板片面に複数の突起を有すると共に、該板体に設けられた小孔から矢板にアンカー固定して一体化された構造体であることを特徴とする請求項６又は請求項７記載の建築物縦壁防水構造体である。
【００１９】
【発明の実施の態様】
図１は、本発明の基本構造を示す屋上における縦壁防水構造体の部分拡大図である。本発明において、屋上のスラブコンクリート製縦壁１は非乾燥時から使用可能であるが、先ず一旦平面とした縦壁表面に複数の突起３を有する軽量板２を配置し、該軽量板２に設けてある小孔部３からアンカー４を打ち込んで固定し、縦壁１と軽量板２との間に約２〜３ｃｍ位の空間部を設ける（第一工程）。
【００２０】
この場合、上記軽量板は、プラスチック等の素材で板状にし、ある程度の固さと軽さを有するものが好ましく、また該軽量板片面に設けられる複数の突起体は高さが３〜５ｃｍ位であり、この突起体の中間部に溝（図示せず）を予め設けておき、上記の屋上縦壁に固定する場合には、この溝から突起体を切断して突起の高さを２〜３ｃｍくらいに調整して用いるが、地下室のような縦壁には切断しないで直接用いるとよい。
【００２１】
次いで縦壁１と軽量板２との間に生じた空間部に、発泡剤を注入する（第二工程）が、この場合、発泡剤としては、水とは反応するが水に溶けない性質を有する薬液であるタックス（ＴＡＣＳＳ商品名）を流し込み機（図示せず）で順次注入した。
【００２２】
上記タックス（ＴＡＣＳＳ商品名）薬液は、モルタルやコンクリートの軽量化や断熱性向上のために用いられる発泡剤であるが、疎水性のイソシアネート化合物が主成分であり、構造物や地中の水と反応して水に不溶性のポリ尿素ゲル（ウレタン樹脂）を生成するものである。
【００２３】
この発泡剤は非抱水ゲルであり、縦壁１と軽量板２との間の空間部に流し込まれると、縦壁中の水分や発泡剤中の水分に反応して空間部を発泡しながら上部に出てくるため、軽量板２の上端部に均一になるように出たところを確認して注入を中止する。なおこの場合、上記タックス（ＴＡＣＳＳ商品名）のみでなく、水分の存在下で発砲する性質を有する発泡剤ならば、本発明工法に使用できるのは勿論である。
【００２４】
或いは粒径の細かいアルミニウム粉末や他の金属粉末と、反応促進剤として水酸化カルシウムや苛性ソーダと反応させて、水素ガスを発生させながら発砲することによって縦壁１と軽量板２との空間部に充填させることも可能である。
【００２５】
次いで発泡剤が固まったのを確認した後に、発泡剤上端部にシール材を付着させてもよいし、また、軽量板の表面に塗装を施しても構わない（第三工程）が、屋上における縦壁面の密封構造体を上記の工程で得ることができた。
【００２６】
図２は、地下室における縦壁の構造体を示す断面図であるが、地下室は通常Ｈ字鋼枠を地中に打設した後に土壌を掘削しながら矢板を打ち付け土壌留めを行う。
【００２７】
本発明の縦壁防水構造体においては、掘削した土壌９に対して矢板７を長手方向に打ち付けていき、ある程度矢板を打ち付けたら軽量板２を同一な高さに調製してから、小孔部６外側よりアンカー４を矢板側に打ち込み矢板に軽量板を固定し、この作業を底部まで繰り返しながら約５〜６ｃｍの空間部を設ける（第一工程）。これによって次工程で得られるコンクリート縦壁からの圧力を防いで、空間部を維持できるようになっている。
【００２８】
次いで、土台からの鉄筋枠を中心にコンクリート材を打設して土台となる縦壁を設ける（第二工程）。
【００２９】
次いで、順次水と反応するが水には不溶性の薬液である発泡剤を前記矢板材と軽量板材との空間部に充填して底部から発砲させながら上方に移動させ、前記発泡剤が注入口付近で確認される迄充填を行って発泡剤で密封することによって土壌からの浸水を防止する（第三工程）。
【００３０】
この場合、注入された発泡剤は液体であるために、土壌９側の隙間に浸透していき、空間部のみならずこの土壌中でも発砲するため密封箇所が拡散し、また反対に土台との接触面においても密封するために、土壌側から土台である縦壁へ水分の流出を防止する働きを成している。
【００３１】
【発明の効果】
本発明の最大の効果は、従来スラブコンクリートを乾燥するために養生時間を相当取らなければ次工程に入れなかったものが、水分を必要とする発泡剤を用いるためにその養生時間を必要とせずに作業が可能となったものである。
【００３２】
また従来の工法では、アウファルト材のつなぎ目を塞ぐために接着剤や溶着材でシール化を図っていたものが、本発明工法では、これらの隙間を発泡剤が侵入して全てを密封するために、上記接着剤や溶着材を使用せずに対応できるために安価に、且つ工期が早く終了できる効果を合わせて有している。
【００３３】
本発明の構造体は、屋上や地下室において外側からの水分の接触を防止できるために、長期にわたる防水効果を維持できる優れた構造体である。
【図面の簡単な説明】
【図１】本発明の屋上縦壁防水構造体の部分拡大図である。
【図２】本発明工法の実施例における地下室を上から見た部分断面図である。
【図３】本発明において使用する軽量板を示す斜視図である。
【図４】本発明において使用する軽量板と矢板とが一体化した枠体を示す斜視図である。
【符号の説明】
１・・・屋上スラブコンクリート
２・・・軽量板
３・・・突起
４・・・アンカー
５・・・密封材（発泡後）
６・・・小孔部
７・・・矢板
８・・・Ｈ型鋼枠
９・・・土壌
１０・・発泡剤浸透土壌
１１・・地下室縦壁
１２・・土壌
１３・・枠体
１４・・固定ボルト
【図１】
2004324083.tif 000003
【図２】
2004324083.tif 000004
【図３】
2004324083.tif 000005
【図４】
2004324083.tif 000006